(57)【要約】      （修正有）【課題】暗闇で発光することで文字や図柄を幻想的に浮かび上がらせ、また守り塩を有することで魔除けと開運を授かる効果があることを期待できるアクセサリーストラップを提供する。【解決手段】光透過性を有する球体１に獅子等を形取ったプラスチック類のカバー２Ａを獅子の正面から球体が見えるように抱え込むような形で取り付け、球体１表面の一部には蓄光材上には文字や図柄を配置した蓄光材層３を固定し、蓄光材３が蓄えた光を暗闇で発光させると文字や図柄が幻想的に浮かび上がることができるアクセサリーストラップである。また、プラスチック類のカバーの内部に守り塩４を納めることができる空間を設け、塩を有することで魔除けと開運を授かる効果があることを期待できるアクセサリーストラップである。【選択図】図２
0003183307.tif 000002
【実用新案登録請求の範囲】
【請求項１】
光透過性を有する球体に獅子等を形取ったプラスチック類の獅子形カバーを正面から球体が見えるように抱え込むような形で取り付け、球体表面の一部には蓄光材上に文字や図柄を配置した蓄光材層を固定し、蓄光材が蓄えた光を暗闇で発光させることで文字や図柄が幻想的に浮かび上がることができるアクセサリーストラップ。
【請求項２】
プラスチック類の獅子形カバー内部に守り塩を納めることができる空間を設けたことを特徴とする請求項１のアクセサリーストラップ。
【考案の詳細な説明】
【技術分野】
【０００１】  本考案は、アクセサリーストラップに付属したアクセサリーにおいて、暗闇で発光する蓄光材を使用することにより、光透過性を有する球体表面に配置した文字や図柄を蓄光材が蓄えた光で幻想的に浮かび上がることができ、また球体を抱え込む獅子形のカバー内部に守り塩を収めることで、魔除けや開運を授かる効果があることを期待できるアクセサリーストラップに関するものである。
【背景技術】
【０００２】  アクセサリーストラップは本来電話がポケットやカバンあるいは体からの脱落防止のために使用されていた。それには多種多様の物が市販されており、それに接続するアクセサリーも地域性や企業名あるいは個人の好みなどがイメージキャラクターとして接続されそれぞれも又多種多様である。【０００３】  そのため、スアクセサリートラップとしての機能面とアクセサリーとしての愛らしさと美しさを兼ね備えると同時にまた、魔除けや開運を授かるような役目を持たすことでより多くの人々の注目と関心を引くことが要求されている。
【考案の概要】
【考案が解決しようとする課題】
【０００４】  本来ストラップはポケットやカバンあるいは手からの脱落防止のための機能以外に、愛らしさと美しさを兼ね備え手軽に個人の好みやファッション性を表現できるアクセサリーとしての効果も追求されている。【０００５】  また、魔除けや開運を授かる役目も人々から求められている状況があり、本考案はこのような従来の問題を解決しようとするもので、暗闇で発光することで文字や図柄を幻想的に浮かび上がらせ、また守り塩を有することで魔除けと開運を授かる効果があることを期待できるアクセサリーストラップを提供することを課題とする。
【課題を解決するための手段】
【０００６】  本考案は、前記課題を解決するために請求項１によれば、光透過性を有する球体に獅子等を形取ったプラスチック類のカバーを獅子の正面から球体が見えるように抱え込むような形で取り付け、球体表面の一部には蓄光材上には文字や図柄を配置した蓄光材層を固定し、蓄光材が蓄えた光を暗闇で発光させると文字や図柄が幻想的に浮かび上がることができるアクセサリーストラップである。【０００７】  また、請求項２によれば、プラスチック類のカバーの内部に守り塩を納めることができる空間を設け、塩を有することで魔除けと開運を授かる効果があることを期待できるアクセサリーストラップである。【０００８】  本考案において「獅子」とは想像上の動物や神獣であり、獅子やあるいは沖縄地方ではシーサーと呼ばれ、プラスチック類とは樹脂・陶・石・木・金属のことである。
【考案の効果】
【０００９】  本考案は、暗闇で蓄光材が発光することで光透過性球体表面に固定された蓄光材層により、蓄光材上に配置された文字や図柄を幻想的に浮かび上がることができ、文字の組み合わせや図形の組み合わせ、又は文字と図形の組み合わせ等も自由に選択できるため、無限大にバリエーションが展開でき、お国柄宣伝や企業宣伝、イメージキャラクター、または個人の好みやファッション性を表現できるアクセサリーとしての効果が期待できる。【００１０】  また、文字と守り塩の組み合わせにより魔除けや開運あるいは金運等を授かる効果が期待できる携帯グッズとしての利用価値も注目できる。
【図面の簡単な説明】
【００１１】
【図１】本考案の獅子形のカバーでガラス球を抱え込んだ実施例の正面側斜視図である。
【図２】同実施例のカバー内部の守り塩と球体表面に固定された蓄光材層との位置関係を示した簡略図。
【図３】同実施例の背面から模写した図。
【図４】光透過性を有するガラス球体表面上に蓄光材層を固定した断面図。
【図５】穴が貫通した不透明球体の簡略図。
【図６】上記球体の穴を塞ぐ光透過性の高いアクリル樹脂コアの簡略図。
【図７】本考案の獅子形のカバー正面側斜視図。
【図８】固定用金具付きストラップを模写した図。
【考案を実施するための形態】
【００１２】  本考案の実施形態に基づいて図面で説明すると、図１は、獅子形のカバーでガラス球を抱え込んだ正面側斜視図である。
【００１３】  このように、図１に示されているように、図７に示した獅子形カバー上部２Ａと獅子形カバー下部２Ｂで光透過性の高いガラス球体１を抱え込むように固定し、獅子形カバー上部２Ａの頭部上に図８に示した固定金具付きストラップ５の尖ったネジ部に接着剤を用いてネジ込み固定をする。
【００１４】  上記のように固定された光透過性の高いガラス球体１には図４に示された蓄光材上に文字・図柄を配置した蓄光材層３が接着剤または接着テープで固定され、そして蓄光材層３は獅子形カバーで抱え込まれた球体正面から覗き見ることができる位置にある。
【００１５】  従って、暗闇でガラス球体正面から蓄光材層を覗くと、蓄光材が蓄えた光を発光させるために文字や図柄が幻想的に浮かび上がって見える。
【００１６】  図２は、同実施例の獅子形のカバー内部の守り塩４とガラス球体表面に固定された蓄光材層３との位置関係を示した簡略図で、守り塩は組込み時に内部に封入され取り出す事はできない。
【００１７】  そのため、獅子形のカバーは図７に示されているように獅子形カバー上部２Ａと獅子形カバー下部２Ｂとに二つに分割できる構成になっており、球体・守り塩を組み込み後接着にて固定する。
【００１８】  図３は、同実施例の背面から模写した図で、獅子形カバー上部２Ａの頭部接着剤でしっかりと固定された金具付きストラップ５によって携帯電話やスマートフォンがバックやポケット又は手から脱落するのを防ぐことができる。
【００１９】  図５は、同実施例の光透過性の高いガラス球体１の替りに不透明な素材を使用する時の球体１ａの図で、中央部に文字や図柄に対応した大きさの円い穴が貫通している。
【００２０】  よって、不透明球体１ａを光透過性の高いガラス球体１と同等な機能を持たせるためには、貫通している穴の大きさに合った図６に示されている光透過性の高いアクリル樹脂コア１ｂを穴に押し込んで石材球体と一体化させることで達成できる。
【００２１】  従って、不透明な素材である金属、陶器、木材、プラスチック等も上記の方法で使用が可能となり球体の素材としてのデザイン性が増すことになる。
【産業上の利用可能性】
【００２２】  本考案の蓄光材料を使用したアクセサリー携帯ストラップは、文字の組み合わせや図形の組み合わせ、又は文字と図形の組み合わせ等も自由に選択できるため、無限大にバリエーションが展開でき、お国柄宣伝や企業宣伝、イメージキャラクター、または個人の好みやファッション性を表現できるアクセサリーやコレクション性としての効果が期待できる。【００２３】  また、文字と守り塩の組み合わせにより魔除けや開運あるいは金運等を授かる効果が期待できる携帯グッズとしての利用価値も注目できる。
【符号の説明】
【００２４】  １    光透過性の高いガラス球体
１ａ  穴が貫通した不透明球体
１ｂ  光透過性の高いアクリル樹脂コア
２Ａ  獅子形カバー上部
２Ｂ  獅子形カバー下部
３    蓄光材上に文字・図柄を配置した蓄光材層
４    守り塩
５    固定金具付きストラップ
【図１】
0003183307.tif 000003
【図２】
0003183307.tif 000004
【図３】
0003183307.tif 000005
【図４】
0003183307.tif 000006
【図５】
0003183307.tif 000007
【図６】
0003183307.tif 000008
【図７】
0003183307.tif 000009
【図８】
0003183307.tif 000010